(57)【要約】【課題】煩雑操作を要することなく、既存のハード構成を活用しつつ各曲毎に最適な演奏パートの練習を可能にする。【解決手段】通常の楽曲データは、練習パートに設定して演奏ガイドによる練習が可能な第１、第２パートに、一般ユーザとって演奏練習の対象とするのに適当と思われるメロディ（右手）、和音（左手）の演奏データが記録され、第３、第４パートには、第１、第２パートと同一楽器（ピアノ）による伴奏（右手）、伴奏（左手）がそれぞれ記録される。伴奏パートが有名な曲の特定楽曲データは、伴奏の演奏データが練習パートに設定可能な第１、第２パートに記録され、メロディ相当の演奏データが、第３、第４パートに記録される。ただし、特定楽曲データでは、第３、第４パートを練習パートに設定し直すことが可能である。【選択図】　　　図２
2004012663.tif 000002
【特許請求の範囲】
【請求項１】
複数パートのうち練習パートとして設定可能な所定パートにメロディに相当する演奏が記録されると共に前記所定パート以外のパートにメロディに相当する演奏以外の演奏が記録された複数の楽曲データを記憶した記憶手段と、
前記記憶手段により記憶された複数の楽曲データのうち練習対象曲とする楽曲データを選択する選択手段と、
前記選択手段により選択された楽曲データの所定パートの演奏ガイド処理を行う演奏ガイド処理手段とを有し、
前記記憶手段は、前記所定パートにメロディに相当する演奏以外の演奏が記録されると共に前記所定パート以外のパートにメロディに相当する演奏が記録された特定楽曲データを、前記選択手段が選択可能な楽曲データとしてさらに記憶したことを特徴とする演奏練習装置。
【請求項２】
前記選択手段により前記特定楽曲データが選択された場合は、前記演奏ガイド処理手段により演奏ガイド処理がなされるパートを、前記所定パートに代えて、前記メロディに相当する演奏が記録されたパートに変更するガイドパート変更手段を有することを特徴とする請求項１記載の演奏練習装置。
【発明の詳細な説明】
【０００１】
【発明の属する技術の分野】
本発明は、楽曲データの一部のパートについて演奏ガイド処理を行うことが可能な演奏練習装置に関する。
【０００２】
【従来の技術】
従来、初心者向け電子鍵盤装置等に搭載され、光ガイド機能等により演奏操作のガイドが可能に構成された演奏練習装置が知られている。この装置では、例えば、複数パートで成る楽曲データが複数記憶され、各楽曲データの第１、第２パートのみが演奏練習パートとして設定可能になっている。上記楽曲データは一般に、演奏ガイドに適するようにアレンジされ、しかも、演奏練習の対象とするのに適当であると思われる「メロディに相当する演奏」が第１、第２パートに記録されている。例えば、第１パートに、ピアノの右手演奏に相当するメロディ演奏が記録され、第２パートに、ピアノの左手演奏に相当するオブリガードや簡単な和音演奏等が記録される。また、第３、第４パート等の他のパートには、主に伴奏等が記録されている。
【０００３】
そして、ユーザは、練習したい曲を選択し、所定のスイッチにより、第１、第２パートのいずれかまたは双方を練習パートとして設定して再生を開始させることで、第１、第２パートがミュートされたり光ガイドされたりする。これにより、主にメロディを中心とした演奏練習を行うことができる。
【０００４】
【発明が解決しようとする課題】
しかしながら、演奏練習の対象とするのに適当なパートは、曲によって異なり、メロディとは限らない。例えば、メロディよりも、ピアノによる伴奏パートのフレーズの方が有名な曲では、その伴奏パートの演奏ガイドによる練習を望むユーザも多い。ところが、上記従来の演奏練習装置では、予め第１、第２パートに記憶されたピアノの右手と左手で演奏するメロディ演奏と簡単な和音演奏しか練習対象になり得ず、伴奏パートを演奏ガイドによる練習対象にすることができなかった。
【０００５】
ここで、曲毎に、練習パートを任意に設定可能なように構成することが考えられるが、そのようにすると、既存のハード構成の設計変更を伴うだけでなく、大多数の初心者ユーザに対して、練習したいパートを複数あるパートの中から自分で探し出すといった煩雑な設定操作や判断を一律に課すことになり、好ましくない。
【０００６】
本発明は上記従来技術の問題を解決するためになされたものであり、その目的は、煩雑操作を要することなく、既存のハード構成を活用しつつ各曲毎に最適な演奏パートの練習を可能にすることができる演奏練習装置を提供することにある。
【０００７】
【課題を解決するための手段】
上記目的を達成するために本発明の請求項１の演奏練習装置は、複数パートのうち練習パートとして設定可能な所定パートにメロディに相当する演奏が記録されると共に前記所定パート以外のパートにメロディに相当する演奏以外の演奏が記録された複数の楽曲データを記憶した記憶手段と、前記記憶手段により記憶された複数の楽曲データのうち練習対象曲とする楽曲データを選択する選択手段と、前記選択手段により選択された楽曲データの所定パートの演奏ガイド処理を行う演奏ガイド処理手段とを有し、前記記憶手段は、前記所定パートにメロディに相当する演奏以外の演奏が記録されると共に前記所定パート以外のパートにメロディに相当する演奏が記録された特定楽曲データを、前記選択手段が選択可能な楽曲データとしてさらに記憶したことを特徴とする。
【０００８】
この構成によれば、煩雑操作を要することなく、既存のハード構成を活用しつつ各曲毎に最適な演奏パートの練習を可能にすることができる。
【０００９】
【発明の実施の形態】
以下、本発明の実施の形態を図面を参照して説明する。
【００１０】
（第１の実施の形態）
図１は、本発明の第１の実施の形態に係る演奏練習装置の全体構成を示すブロック図である。本演奏練習装置は、例えば、電子鍵盤装置として構成され、操作部２、ＲＯＭ６、ＲＡＭ７、タイマ８、表示部９、記憶装置１０、ＭＩＤＩインターフェイス（ＭＩＤＩＩ／Ｆ）１３、通信インターフェイス（通信Ｉ／Ｆ）１４、音源回路１５及び効果回路１６が、バス１８を介してＣＰＵ５にそれぞれ接続されて構成される。
【００１１】
ＣＰＵ５は、本装置全体の制御を司る。ＲＯＭ６は、ＣＰＵ５が実行する制御プログラムや各種テーブルデータ等を記憶する。ＲＡＭ７は、テキストデータ等の各種入力情報、各種フラグや各種レジスタ及び演算結果等を一時的に記憶する。タイマ８はＣＰＵ５に接続され、タイマ割り込み処理における割り込み時間や各種時間を計時する。表示部９はＬＣＤ等を含んで構成され、アプリケーション実行に関する情報、及び各種設定に関する情報等を表示する。通信インターフェイス１４は、インターネット等の通信ネットワーク３１を介してサーバコンピュータ３２に接続し、データの送受信を可能にする。ＭＩＤＩＩ／Ｆ１３は、ＭＩＤＩ機器３０からのＭＩＤＩ（Ｍｕｓｉｃａｌ　Ｉｎｓｔｒｕｍｅｎｔ　Ｄｉｇｉｔａｌ　Ｉｎｔｅｒｆａｃｅ）信号を入力したり、ＭＩＤＩ信号をＭＩＤＩ機器３０に出力したりする。音源回路１５は、楽曲データ等を楽音信号に変換し、効果回路１６は、その楽音信号に各種効果を付与し、サウンドシステム１７は、効果回路１６から入力される楽音信号等を音響に変換する。
【００１２】
記憶装置１０は、ハードディスク、フロッピ（登録商標）ディスク、ＣＤ−ＲＯＭ、ＭＯ（光磁気ディスク）等の記憶媒体１１をドライブする各種ドライブを備える。記憶媒体１１には上記制御プログラムの他、各種プログラムや各種データを記憶することができる。なお、これらはＲＯＭ６またはＲＡＭ７に記憶されていてもよい。
【００１３】
操作部２は、各種情報を入力するための複数のスイッチ群を備える。複数のスイッチ群には、鍵盤操作子１、楽曲選択スイッチ３、左手練習スイッチ４Ｌ及び右手練習スイッチ４Ｒが含まれる。鍵盤操作子１は、鍵盤演奏に用いられ、楽曲選択スイッチ３は、再生する楽曲データの選択に用いられる。左手、右手練習スイッチ４Ｌ、４Ｒは、楽曲データの再生の際、左手用または右手用の演奏パートを練習パートに設定し、演奏練習のための演奏ガイドを行わせるように設定するためのスイッチである。
【００１４】
図２は、本実施の形態において自動演奏される楽曲データのデータ構成を示す図である。同図（ａ）は従来から利用されている「通常の楽曲データ」、同図（ｂ）は本実施の形態で新たに利用される「特定楽曲データ」を示す。
【００１５】
通常の楽曲データは、同図（ａ）に示すように、当該楽曲データを特定するための固有な数値を表わす楽曲番号と複数パート分の演奏データとから構成されている。
【００１６】
第１パートのメロディ（右手）（ピアノ）パートには、楽曲のメロディ部を再生するための演奏データが記録されている。本実施の形態ではメロディ部がピアノで演奏されているものとしている。通常、メロディ部をピアノで演奏するときには右手で演奏することから、ピアノの右手演奏を再生するための演奏データが第１パートに記録されている。第２パートの和音（左手）（ピアノ）パートには、楽曲の和音部を再生するための演奏データが記録されている。本実施の形態における和音部とは、ピアノでメロディ部を演奏するときにそれと合わせて左手で演奏される、伴奏の範疇には入らずメロディに準ずるような単純な和音やオブリガード等の演奏のことであり、この左手演奏を再生するための演奏データが第２パートに記録されている。
【００１７】
本実施の形態では、第１パート及び第２パートが、練習パートに設定できる所定パートであり、これら２つのパートには、楽曲のうちで練習の対象に成り得る演奏部の演奏データが記録されている。本実施の形態の演奏練習装置は電子鍵盤装置として構成されているので、その装置で演奏練習を行うことができるピアノの演奏部であって、練習の対象とするのに最も適当と思われるメロディとそれに合わせて演奏する和音の演奏部が予め演奏の対象に決められている。
【００１８】
第１パート、第２パート以外のパートは、練習パートから外されているパートであり、これらのパートには、楽曲の伴奏部を再生するための演奏データがそれぞれ記録されている。例えば、第３パートの伴奏（右手）（ピアノ）パートには、（例えば練習パートの楽器と同じ楽器である）ピアノにより演奏される伴奏部、特に右手の演奏に相当する部分を再生するための演奏データが記録されており、第４パートの伴奏（左手）（ピアノ）パートには、（例えば練習パートの楽器と同じ楽器である）ピアノにより演奏される伴奏部、特に左手の演奏に相当する部分を再生するための演奏データが記録されており、第５パート〜第ｎパート（例えばｎは１６）には、ピアノ以外の楽器によって演奏される伴奏部（その他伴奏）を再生するための演奏データが記録されている。
【００１９】
同図（ｂ）に示す特定楽曲データのデータ構成は、通常の楽曲データと同様であるが、第１パート〜第４パートに記録されたデータが異なる。すなわち、通常の楽曲データでは第３、第４パートに記録されている伴奏（右手）、伴奏（左手）の演奏データが、特定楽曲データでは第１、第２パートにそれぞれ記録されている。また、通常の楽曲データでは第１、第２パートに記録されているメロディ（右手）、和音（左手）の演奏データが、特定楽曲データでは第３、第４パートにそれぞれ記録されている。従って、特定楽曲データと通常の楽曲データとでは、第１、第２パートの演奏データと第３、第４パートの演奏データとが入れ替わった形となっている。特定楽曲データの第５パート以降の演奏パートには、通常の楽曲データと同様、「その他伴奏」の演奏データが記録されている。
【００２０】
各楽曲データは、自動演奏を行うためのＭＩＤＩコードで構成され、その演奏パートの詳細構成は、いずれも同様である。例えば、同図（ｂ）に示す伴奏（左手）について例示したように、演奏パートの番号を示すパート番号、タイミング、イベント等の各データで構成される。タイミングデータはイベントデータの発生タイミングを示すデータである。イベントデータは、キーオン、キーオフ、ノートナンバ、ベロシティ等の各データで構成される。楽曲データにはこの他、エンドコードやテンポデータ等も含まれる（図示せず）。
【００２１】
本装置における演奏ガイド処理は、左手、右手練習スイッチ４Ｌ、４Ｒで第１、第２パートのいずれかを選択し、楽曲データの再生時に、選択されたパートをミュートすると共に、鍵盤操作子１の各鍵に対応して設けられた不図示のガイドランプをそのパートの演奏データに従って発光させることでなされる。あるいは、ミュートまたはガイド発光のいずれかだけを行わせることもできる。なお、第１、第２パートの双方を選択可能に構成してもよい。
【００２２】
演奏練習の対象とするのに適当なパートは、一般的にはメロディである。通常の楽曲データでは、演奏ガイドの対象（練習パート）にすることができる第１、第２パートに、メロディ相当の演奏データが記録されているので、主にメロディの演奏練習に適しており、多くの曲に適用される。しかしながら、メロディよりも、例えば、ピアノ等による伴奏パートのフレーズの方が有名な曲もある。そのような曲については、特定楽曲データとして構成し、第１、第２パートに、音楽的な演奏部分のうちで最も有名と思われる演奏部分（ユーザが練習を望むであろう演奏素部分）である伴奏の演奏データを記録することで、その伴奏パートの演奏ガイドによる練習を行わせることが可能となっている。この場合の伴奏の演奏データは、本装置が鍵盤楽器であることから、ピアノやオルガン等の演奏部分であることが好ましいが、これに限定されるものではない。楽曲データの全体構成としては、一般的な通常の楽曲データの方が多く設けられ、例えば、通常の楽曲データは楽曲番号１〜９０、特定楽曲データは楽曲番号９１〜１００というように番号が設定される。
【００２３】
楽曲データは、例えば記憶装置１０がドライブする記憶媒体１１に記憶されるが、ＲＯＭ６に記憶しておいてもよい。あるいはＭＩＤＩＩ／Ｆ１３、通信Ｉ／Ｆ１４を介して入力してもよい。再生処理時には、楽曲データは、記憶装置１０等から読み出し乃至入力され、ＲＡＭ７に格納される。なお、楽曲データのフォーマットは、自動演奏処理を実現することができれば、例示したものに限定されない。
【００２４】
図３は、本実施の形態におけるメイン処理のフローチャートを示す図である。
【００２５】
まず、操作部２の楽曲選択スイッチ３による楽曲選択の操作がされたか否かを判別する（ステップＳ３０１）。この選択操作は、楽曲番号の入力や楽曲名の入力等によってなされる。その判別の結果、楽曲選択の操作がされた場合は、選択された楽曲データを再生対象に設定し（ステップＳ３０２）、ステップＳ３０３に進む一方、楽曲選択の操作がされない場合は直ちに前記ステップＳ３０３に進む。
【００２６】
ステップＳ３０３では、右手練習スイッチ４Ｒが操作されたか否かを判別し、操作された場合は、再生対象の楽曲データの第１パートを、練習対象とする練習パートとして設定して（ステップＳ３０４）、ステップＳ３０７に進む。一方、右手練習スイッチ４Ｒが操作されない場合は、左手練習スイッチ４Ｌが操作されたか否かを判別し（ステップＳ３０５）、操作されない場合はステップＳ３１０に進む一方、操作された場合は、再生対象の楽曲データの第２パートを、練習対象とする練習パートとして設定して（ステップＳ３０６）、前記ステップＳ３０７に進む。前記ステップＳ３０４、Ｓ３０６では、具体的には、練習パートについて、再生がミュートされると共に対応鍵のガイドランプが発光することで演奏ガイドがなされるように設定される。
【００２７】
ステップＳ３０７では、再生対象となっている楽曲データが特定楽曲データであるか否かを判別する。この判別は、例えば、特定楽曲データの楽曲番号を記憶したテーブルを参照し、再生対象となっている楽曲データの楽曲番号と照合することでなされる。あるいは、再生対象となっている楽曲データの楽曲番号が、予め定められている番号範囲内（例えば、９１〜１００番）内に含まれているか否かにより判別するようにしてもよい。
【００２８】
その判別の結果、再生対象となっている楽曲データが特定楽曲データである場合は、後述する図４の練習パート変更処理を実行して（ステップＳ３０８）、ステップＳ３０９に進む一方、特定楽曲データでない場合は、練習パート変更処理を実行することなく前記ステップＳ３０９に進む。
【００２９】
ステップＳ３０９では、再生対象の楽曲データのガイド再生を開始する。すなわち、楽曲データを読み出し、演奏信号を生成し、効果処理を付加し、増幅して出力することで発音処理を実行すると共に、練習パートについて演奏ガイドを行う。この演奏ガイドは、上述したように、ミュート及びガイドランプの発光によりなされる。なお、ミュートの態様は、完全消音でもよいし、他のパートに対し音量を下げる等によって目立たなくする態様でもよい。また、ガイドランプの発光に代えて、またはこれに加えて、表示部９に楽譜を表示し、演奏鍵を指示するようにしてもよい。
【００３０】
次に、ステップＳ３１０では、操作部２における各種スイッチ操作に応じた処理、例えば、鍵盤操作子１の操作に対応した楽音の発音（演奏の練習等）、通常の自動再生、リアルタイム演奏、各種設定の受け付け等の処理を実行する。次に、装置の動作停止が指示されたか否かを判別し（ステップＳ３１１）、動作停止が指示されない場合は前記ステップＳ３０１に戻る一方、動作停止が指示された場合は、本処理を終了する。
【００３１】
図４は、図３のステップＳ３０８で実行される練習パート変更処理のフローチャートを示す図である。
【００３２】
まず、練習パートの変更を受け付ける（ステップＳ４０１）。例えば、現在、伴奏パートである第１（または第２）パートが練習パートとして設定されていること、及び、第１（または第２）パートに代えて、メロディ相当のパートである第３（または第４）パートを練習パートとして設定可能であることを、表示部９による表示等によってユーザに提示し、ユーザからの左手練習スイッチ４Ｌまたは右手練習スイッチ４Ｒによる指示の入力を受け付ける。例えば、第１パートが練習パートに設定されている場合において、ユーザは、左手練習スイッチ４Ｌを押下することで、第３パートへの変更を指示することができる。同様に、右手練習スイッチ４Ｒで、練習パートの第２パートから第４パートへの変更を指示することができる。
【００３３】
そして、練習パートの変更が指示されたか否かを判別し（ステップＳ４０２）、変更が指示された場合は、メロディ相当のパートを練習パートとして設定し直す（ステップＳ４０３）。例えば、第１パートから第３パート（または第２パートから第４パート）へと設定を変更する。そして本処理を終了する。一方、練習パートの変更が指示されない場合は、練習パートの設定を変更することなく本処理を終了する。
【００３４】
本実施の形態によれば、楽曲データの第１、第２パートを練習パートとして演奏ガイドが可能に構成し、メロディが有名な一般の曲については通常の楽曲データとして第１、第２パートにメロディ相当の演奏データを記録すると共に、伴奏パートが有名な曲については特定楽曲データとして第１、第２パートに伴奏パートを記録したので、ユーザにとっては、煩雑な操作やパート構成の判断等を要することなく、各曲毎に最適な演奏パートの演奏ガイドによる練習を行うことができ、本演奏練習装置の提供者にとっては、従来、通常の楽曲データのみを記憶した鍵盤装置の既存のハード構成をそのまま活用することができる。
【００３５】
また、図４の練習パート変更処理により、特定楽曲データであっても、ユーザの意思によって、メロディ相当パートである第３、第４パートを練習パートとして設定し直すことを可能としたので、メロディ相当パートの演奏ガイドによる練習を確保して使い勝手を向上させることができる。
【００３６】
なお、特定楽曲データについては、メロディ（右手）、和音（左手）の演奏データは、第１、第２パート以外の演奏パートであれば、第３、第４パートに限らずどの演奏パートに記録されていても構わない。第５パート以降に記録されている場合は、図４の練習パート変更処理では、それらのパートが練習パートに設定され得るパートとして扱われる。
【００３７】
なお、特定楽曲データに関し、第１、第２パートから第３、第４パートへの練習パートの設定変更を行うための専用の「切り替えスイッチ」を設けても、メロディ相当パートの演奏ガイドによる練習を確保することに関しては同様の効果を奏することができる。しかしながら、この場合は、「切り替えスイッチ」というハード構成が新たに必要となる。従って、図４のステップＳ４０１で、上記のように、変更指示の入力を、左手、右手練習スイッチ４Ｌ、４Ｒで行わせるようにしたことで、構成を簡単にする観点からは好ましいものとなっている。
【００３８】
（第２の実施の形態）
本発明の第２の実施の形態では、練習パート変更処理が第１の実施の形態と異なり、その他は第１の実施の形態と同様である。従って、図４に代えて図５を用いて本第２の実施の形態を説明する。
【００３９】
図５は、第２の実施の形態において図３のステップＳ３０８で実行される練習パート変更処理のフローチャートを示す図である。
【００４０】
まず、練習パートとして設定可能な演奏パートを検出する（ステップＳ５０１）。ここでは、例えば、鍵盤楽器で演奏するのに適した音色（ピアノやオルガン等）が設定されているパートが、練習パートに設定可能な演奏パートとして検出される。図２の例でいえば、右手練習スイッチ４Ｒが操作されている場合においては、第１パート及び第３パートが少なくとも検出される。
【００４１】
次に、上記検出されたパートの１つの繰り返し再生を開始し（ステップＳ５０２）、検出された他のパートの再生が指示されたか否かを判別する（ステップＳ５０３）。その判別の結果、他のパートの再生が指示された場合は、前記ステップＳ５０２に戻って当該他のパートの再生を開始する一方、他のパートの再生が指示されない場合は、現在再生中のパートを練習パートとして採用する旨の指示があったか否かを判別して（ステップＳ５０４）、採用する旨の指示がない場合は、前記ステップＳ５０３に戻る。
【００４２】
従って、ユーザは、順に再生されるパートの再生を聞き、現在聞いているパートを練習パートにしたくない場合は他のパートの再生を指示し、練習パートにしたいパートが再生されているときに、練習パートとして採用する旨の指示を行うことで、検出されたパートの中から所望のパートを選択することができる。
【００４３】
前記ステップＳ５０４の判別の結果、現在再生中のパートを練習パートとして採用する旨の指示があった場合は、再生中のパートを練習パートとして設定すると共に、その再生を停止して（ステップＳ５０５）、本処理を終了する。
【００４４】
本実施の形態によれば、第１の実施の形態と同様の効果を奏することができる。特に、練習パートとすべきパートを、実際に聞いてから選択できるので、初心者ユーザにとって一層使いやすくなっている。
【００４５】
なお、上記各実施の形態において、ＲＯＭ６に制御プログラムが記憶されていない場合には、ハードディスクやＣＤ−ＲＯＭ等の記憶媒体１１に制御プログラムを記憶させておき、それをＲＡＭ７に読み込むことにより、ＲＯＭ６に制御プログラムを記憶している場合と同様の動作をＣＰＵ５にさせることができる。このようにすると、制御プログラムの追加やバージョンアップ等を容易に行うことができる。この場合、記憶媒体１１から読み出されたプログラムコード自体が本発明の新規な機能を実現することになり、そのプログラムコードを記憶した記憶媒体１１は本発明を構成することになる。なお、この場合の記憶媒体１１としては、フロッピディスク、ハードディスク、光磁気ディスク、ＣＤ−ＲＯＭ、ＣＤ−Ｒ、磁気テープ、不揮発性のメモリカード等を用いることができる。また、記憶媒体１１に上記制御プログラムや各種データが記憶されていない場合には、通信Ｉ／Ｆ１４は、サーバコンピュータ３２からプログラムやデータをダウンロードするために用いられる。この場合は、プログラムコード自体が本発明を構成することになる。
【００４６】
【発明の効果】
以上説明したように、本発明によれば、煩雑操作を要することなく、既存のハード構成を活用しつつ各曲毎に最適な演奏パートの練習を可能にすることができる。
【図面の簡単な説明】
【図１】本発明の第１の実施の形態に係る演奏練習装置の全体構成を示すブロック図である。
【図２】自動演奏される楽曲データのデータ構成を示す図である。
【図３】メイン処理のフローチャートを示す図である。
【図４】図３のステップＳ３０８で実行される練習パート変更処理のフローチャートを示す図である。
【図５】第２の実施の形態において図３のステップＳ３０８で実行される練習パート変更処理のフローチャートを示す図である。
【符号の説明】
１　鍵盤操作子、２　操作部、３　楽曲選択スイッチ（選択手段）、４Ｌ　左手練習スイッチ（ガイドパート変更手段の一部）、４Ｒ　右手練習スイッチ（ガイドパート変更手段の一部）、５　ＣＰＵ（演奏ガイド処理手段）、９　表示部、１０　記憶装置、１１　記憶媒体（記憶手段）
【図１】
2004012663.tif 000003
【図２】
2004012663.tif 000004
【図３】
2004012663.tif 000005
【図４】
2004012663.tif 000006
【図５】
2004012663.tif 000007